(57)【要約】オーディオ／ビデオプログラムを受信するプログラム受信手段（２）と、記録媒体（１４，２４）に記録し又は記録媒体から再生するために受信可能なオーディオ／ビデオプログラムを選択するプログラム選択手段（１２，２２，３２）と、記録／再生装置又はそのユーザを識別するユーザ識別子（ＩＤ）（１３，２３，３３）を格納する格納手段とを有する記録／再生装置（１０，２０，３０）において、プログラム選択手段（１２，２２，３２３）は、記録／再生装置のユーザプロファイル（１５，５５ａ，５５ｂ）及び他の記録／再生装置のユーザ識別子を有するグループリスト（１６，５６ａ，５６ｂ）に対するアクセスを付与するように配置され、情報受信手段（３）が、グループリスト（１６，５６ａ，５６ｂ）に含まれるユーザ識別子（１３，２３，３３）に相関することができるプログラム選択情報（１１，２１，３１，５１）のセットを受信するように設けられ、プログラム選択手段（１２，２２，３２）が、受信したプログラム選択情報（１１，２１，３１，５１）のセットから及びユーザプロファイル（１５，５５ａ，５５ｂ）に対するアクセスを参照することによって選択すべきオーディオ／ビデオプログラムを決定するように配置される。
2006508568.tif 000002
【特許請求の範囲】
【請求項１】
記録媒体にオーディオ／ビデオプログラムを記録するとともに記録媒体からオーディオ／ビデオプログラムを再生する記録／再生装置であって、前記オーディオ／ビデオプログラムを受信する受信手段と、記録又は再生のために受信可能なオーディオ／ビデオプログラムを選択するプログラム選択手段と、記録／再生装置又はそのユーザを識別するユーザ識別子を格納する格納手段とを有する記録／再生装置において、前記プログラム選択手段が、前記記録／再生装置のユーザプロファイル及び他の記録／再生装置のユーザ識別子を有するグループリストに対するアクセスを付与するように配置され、前記情報受信手段が、前記グループリストに含まれるユーザ識別子に相関できるプログラム選択情報のセットを受信するように設けられ、前記プログラム選択手段が、受信したプログラム選択情報のセットから及び前記ユーザプロファイルに対するアクセスを参照することによって、選択すべきオーディオ／ビデオプログラムを決定するように配置されたことを特徴とする記録／再生装置。
【請求項２】
前記プログラム選択手段が、前記受信可能なオーディオ／ビデオプログラムの時間制御された記録／再生を行うタイマリストを形成するように配置され、前記タイマリストが、好適には前記記録／再生装置の不揮発性メモリに格納可能であることを特徴とする請求項１記載の記録／再生装置。
【請求項３】
前記グループリスト及び／又はユーザプロファイルを、前記記録／再生装置の不揮発性メモリに格納できることを特徴とする請求項１記載の記録／再生装置。
【請求項４】
前記グループリスト及び／又はユーザプロファイルが、前記情報受信手段を通じて前記記録／再生装置にダウンロード可能であることを特徴とする請求項１記載の記録／再生装置。
【請求項５】
前記情報送信手段が、外部装置からの要求に応じて、前記ユーザ識別子と、前記プログラム選択手段によって形成されたプログラム選択情報とを送信し、前記送信が、好適には前記グループリストによって規定されたアクセス権を参照することによって制限可能であることを特徴とする請求項１記載の記録／再生装置。
【請求項６】
前記記録／再生装置をＴＶセットとし、前記プログラム選択手段によって選択されたプログラムが、オンスクリーン情報を通じて視聴者に提供され、適切な場合には、好適には遠隔制御を通じて視聴者による最終的な選択を行えることを特徴とする請求項１記載の記録／再生装置。
【請求項７】
少なくとも二つの請求項１記載の記録／再生装置を有する記録／再生システムであって、前記通信手段がプログラム選択情報を送信し、ユーザ識別子を記録／再生装置間に設けたことを特徴とする記録／再生システム。
【請求項８】
前記通信手段が、前記通信手段を通じて接続可能な記録／再生装置からのグループリスト及び／又はユーザプロファイル及び／又はユーザ識別子並びに前記プログラム選択情報の関連のセットを管理するサーバコンピュータに接続することを特徴とする請求項７記載の記録／再生システム。
【請求項９】
通信手段を通じてサーバに接続されるとともに必要な場合には互いに接続される複数の請求項１記載の記録／再生装置から情報を取得するとともにこれら記録／再生装置に情報を送信するためにサーバを作動させる方法において、前記サーバが、ユーザ識別子及びプログラム選択情報の関連のセットを、前記サーバに接続した記録／再生装置から読み出すとともにこれらを前記記録／再生装置に格納し、前記ユーザ識別子、前記プログラム選択情報のセット、グループリスト及び／又はユーザプロファイルを送信する前記記録／再生装置からの要求に応じて、前記サーバが、要求された情報を、アクセス権が許容される間に送信することを特徴とする方法。
【請求項１０】
前記サーバが、他の情報、例えば、プログラム記述又は広告を、前記プログラム選択情報の格納されたセットに追加することを特徴とする請求項９記載の方法。
【請求項１１】
前記サーバが、前記サーバがデータ伝送ネットワークに接続された遠隔コンピュータ端末を通じてグループリスト及び／又はユーザプロファイルを管理するサービスを実行することを特徴とする請求項９記載の方法。
【請求項１２】
前記サーバが、加入者リストを参照しながら、前記記録／再生装置又はコンピュータ端末による、前記サーバによって管理された情報へのアクセスを制御することを特徴とする請求項９又は１１記載の方法。
【発明の詳細な説明】
【技術分野】
【０００１】
本発明は、記録媒体にオーディオ／ビデオプログラムを記録するとともに記録媒体からオーディオ／ビデオプログラムを再生する記録／再生装置であって、前記オーディオ／ビデオプログラムを受信する受信手段と、記録又は再生のために受信可能なオーディオ／ビデオプログラムを選択するプログラム選択手段と、記録／再生装置又はそのユーザを識別するユーザ識別子（ＩＤ）を格納する格納手段とを有する記録／再生装置に関する。
【０００２】
また、本発明は、第１段落で規定した少なくとも二つの記録／再生装置を有する記録／再生システムに関する。
【０００３】
さらに、本発明は、通信手段を通じてサーバに接続されるとともに必要な場合には互いに接続される複数の記録／再生装置から情報を取得するとともにこれら記録／再生装置に情報を送信するためにサーバを作動させる方法に関する。
【背景技術】
【０００４】
この種の記録／再生装置は、英国特許第２，３４６，２５１号から既知である。この文献は、マルチユーザビデオ記録／再生システムを開示しており、この場合、各ユーザは、視聴時間及びプログラムコンテンツに関連する制約を有するユーザに割り当てられたユーザプロファイルによって識別される。各ユーザに対して、プログラムプランは、記録すべきプログラムのリストを含むように保持される。テレビ番組は、後に視聴するためにデータ担体、例えば、ハードディスクに記録され及び格納される。各ユーザは、システムにログオンするとともに、ユーザに対して記録されたテレビ番組を視聴することができる。例えば親のようなマスターユーザは、新たなユーザをシステムに加えるとともに適切なユーザプロファイルを規定することができる。
【発明の開示】
【発明が解決しようとする課題】
【０００５】
しかしながら、既知の記録／再生装置では、プログラム及びし長時間に関する重大な決定を行う一人のマスターユーザに全てのユーザが依存するという不都合がある。これは、小さい子供が不所望なテレビ番組を見ないようにする家族の場合における教育的な理由に対して望ましいかもしれない。しかしながら、年長の子供又は十分な法定年齢のユーザの場合、おせっかいと考えられるこの種の制約の結果、記録／再生装置に対する反論が生じる。それに対して、今日受信することができる大多数のプログラムが与えられると、膨大な時間を費やすとともにプログラムリストのある雑誌を調べることによってのみ適切なプログラムを選択することができる。これに加えて、若い視聴者及び聴取者の場合は特に、「グループ」に加わる必要が顕著となり、このことは、プログラムについての話に加わることができるようにするために、グループの他のメンバーが視聴し又は聴取するプログラムを視聴し又は聴取する希望があることを意味する。既知の記録／再生装置は、これに関するサポートがなく、実際には、プログラムのスケジュールは、権限のある人（マスターユーザ）によって予め設定されている。
【０００６】
本発明の目的は、上記不都合が回避される、第１段落で規定した種類の記録／再生装置、第２段落で規定した種類の記録／再生システム、及び複数の記録／再生装置から情報を取得するとともにこれら記録／再生装置に情報を送信するためにサーバを作動させる第３段落で規定した方法を提供することである。
【課題を解決するための手段】
【０００７】
この目的を達成するために、前記プログラム選択手段が、前記記録／再生装置のユーザプロファイル及び他の記録／再生装置のユーザ識別子を有するグループリストに対するアクセスを付与するように配置され、前記情報受信手段が、前記グループリストに含まれるユーザ識別子に相関できるプログラム選択情報のセットを受信するように設けられ、前記プログラム選択手段が、受信したプログラム選択情報のセットから及び前記ユーザプロファイルに対するアクセスを参照することによって、選択すべきオーディオ／ビデオプログラムを決定するように配置される。
【発明の効果】
【０００８】
上記目的を達成するために、前記通信手段がプログラム選択情報を送信し、ユーザ識別子（ＩＤ）を記録／再生装置間に設けたことを特徴とする記録／再生システムを設ける。
【０００９】
上記目的を達成するために、前記サーバが、ユーザ識別子（ＩＤ）及びプログラム選択情報の関連のセットを、前記サーバに接続した記録／再生装置から読み出すとともにこれらを前記記録／再生装置に格納し、前記ユーザ識別子（ＩＤ）、前記プログラム選択情報のセット、グループリスト及び／又はユーザプロファイルを送信する前記記録／再生装置からの要求に応じて、前記サーバが、要求された情報を、アクセス権が許容される間に送信することを特徴とする方法を提供する。
【００１０】
本発明による特徴によって達成されることは、プログラムを選択する際の決定に有効な助けをユーザに与えることであり、この場合、プログラム選択を自動的に行うこともできる。同時に、ユーザは、マスターユーザによる決定に依存せず、ユーザプロファイルを適切な方法で設定することによって、フレームワーク状態をユーザ自身でプリセットすることができる。これと同様に、本発明によって、複数の記録／再生装置を互いにネットワーク化することができるとともに、ネットワーク化された全ての記録／再生装置感でデータの交換を行うことができる。これによって、ユーザの友人が記録／再生し又は視聴しているものを知りたいユーザの記録／再生及び視聴の要求を、単一ユニットしたがって単一ロケーションに制約された既知のシステムに比べて十分満足のいく方法で適合させることができる。
【００１１】
請求項２によって、記録／再生が現時点に制約されないとともに、記録／再生イベントを将来に対して予め計画できるという利点が得られる。タイマリストが記録／再生装置の不揮発性メモリに格納される場合、装置は、タイマリストが一度形成されるとスタンドアローンモードで動作することができる。グループリスト及び／又はユーザプロファイルも記録／再生装置の不揮発性メモリに格納できる場合、常設の通信リンクの非依存性が更に増大する。グループリスト及びユーザプロファイルを記録／再生装置に格納する代わりに、これらを、情報受信手段を通じて遠隔ソースから記録／再生装置にダウンロードすることができる。ソースを、好適には、常時到達することができるサーバコンピュータとし、それは、必要な場合には、多数のグループリスト及びユーザプロファイルを管理する責任がある。
【００１２】
請求項５によって、記録／再生装置が他の記録／再生装置と能動的に通信することができるとともに他の記録／再生装置のプログラム選択に影響を及ぼすことができる。したがって、本発明による記録／再生装置のユーザは、友人のサークル間で決定者の役割を果たし、「セレモニーの達人」となることができる。セキュリティ及びデータ保護の理由のために、好適例において、規定されたアクセス権によって伝送を制限することができる。
【００１３】
請求項６によって、例えば衛星送信を受信するアンテナ又はケーブルＴＶネットワークに接続され、したがって、多数のプログラムを受信することができるＴＶセットのユーザがプログラムについての決定を行うためにプログラムリスト付の雑誌を丹念に調べる必要がなくなるという利点を有する。本発明の利点によって、ユーザは、ユーザプロファイルの決定基準セットを参照することによって、好適にはオンスクリーンディスプレイによって自動的な選択を行うことができ、ユーザは、少数のプログラムを具えるショートリストを直接スクリーンに表示することができるとともに、ＴＶリモート制御によってこれから最終的な選択を行うことができる。
【００１４】
請求項７によって、複数の記録／再生装置が互いに通信できるという利点を有し、このことは、装置のロケーションの問合せは関係なくなり、非常に離れた装置からのプログラム選択情報のセットさえも許容することができることを意味する。一例において、通信手段は、適切なデータ送信プロトコルを用いるpeer-to-peerネットワークを具えることができ、したがって、ユーザ識別子及びプログラム選択情報のセットを、特定の又は放送の要求に応答して装置間で交換することができる。Peer-to-peerネットワークの代わりに、通信手段は、クライアント／サーバネットワークの形態をとることができる。個別の記録／再生装置に対して、これは、装置がサーバコンピュータとコンタクトをとればいいだけであるという利点を有し、その有用性は一般的に高く、それに対して、peer-to-peerネットワークの場合、ネットワークに接続された装置の多数が同時に切り替えられないことを予測する必要がある。
【００１５】
請求項１０によって、プログラム選択情報のセット、グループリスト及び／又はユーザプロファイルの管理が中央で行われるといる利点が得られる。このようにデータが中央で管理されるので、好適にはコンピュータ端末から行うことができるユーザプロファイル及びグループリストの形成の際に便利さ及びセキュリティを向上することができ、データのセットを、互いに相関させるとともに追加することができる。中央管理から提供されるこれらの機能はビジネスモデルを設立し、この場合、例えば、ユーザプロファイル及びグループリストの形成又はそのようなデータに対するアクセスは、支払いがあった場合にのみ可能になり、又は、広告又はフリーの他の情報が、送信されるデータに追加され、広告代理店のような会社に売ることができる聴取者／視聴者の癖の統計的な情報が、記憶装置に保持されたデータから取得される。最後に、これまで説明した全てのサービスを、加入者システムとして構成し及び売り出すことができる。
【００１６】
本発明のこれら及び他の態様を、後に説明する実施の形態を参照しながら明らかにするが、本発明はそれに制限されるものではない。
【発明を実施するための最良の形態】
【００１７】
図１は、本発明の特徴を有する記録／再生システム１のブロック図である。記録／再生システム１は、複数の記録／再生装置を具え、そのうちの三つのみを図示し、これら三つには、一般に参照番号１０，２０及び３０を付す。記録／再生装置１０を、記録／再生媒体としての磁気テープ１４を有するビデオレコーダとする。記録／再生装置２０を、記録／再生媒体２４としてのＤＶＤを有するＤＶＤ＋ＲＷ装置とする。記録／再生装置３０をＴＶセットの形態とする。一体型ＴＶインタフェースカード(integral TV interface card)を有するコンピュータ又は市販の電子機器の分野の他の装置も、記録／再生装置として適切である。記録／再生装置の記録／再生媒体を、ハードディスク又はフラッシュメモリのような半導体メモリによって等しく良好に形成することができる。図示した三つの記録／再生装置１０，２０，３０には各ユーザを関連させ、本例ではユーザ名をマリア、ポール及びペーターとする。記録／再生装置を使用する許可を得るために、例えば、パスワードを入力し、コードカードを使用する等々のような通常の手順によってユーザがログオンする必要があるようにすることができる。家庭内では、記録／再生装置へのアクセスを有する制限された数の人々によってある程度のセキュリティが最初から保証されているので、記録／再生装置がセットアップされたときに１回だけパスワードをエントリするだけでよくするとともに、次に他の記録／再生装置にアクセスするときに自動的にパスワードを送信できるようにするためにこのパスワードを装置に格納できるようにすることもできる。記録／再生装置の複数のユーザが存在する場合、例えば、カラーマークしたキーパッドキーでも所定のユーザプロファイルを選択するのに十分である。各ユーザには、所定の装置に格納されたユーザ識別子（ＩＤ）が割り当てられる。本例では、記録／再生装置１０のユーザ「マリア」にはユーザ識別子１３が割り当てられ、記録／再生装置２０のユーザ「ポール」にはユーザ識別子２３が割り当てられ、記録／再生装置３０のユーザ「ペーター」にはユーザ識別子３３が割り当てられる。記録／再生装置が単一ユーザ装置の形態である場合、ユーザ識別子１３，２３，３３は、（コンピュータネットワークカードのハードウェアアドレスと同様に）所定の装置において変更不可能な形態でプリセットすることができる装置識別子と同一である。しかしながら、記録／再生装置が単一ユーザ装置である場合でも、ユーザ識別子及び装置識別子を厳密に個別に保持するのが好ましく、その結果、この種の記録／再生装置が売り出され又は取り替えられた場合、ユーザは、現存するユーザプロファイルを新たな記録／再生装置で使用し続けることができる。
【００１８】
記録／再生装置１０，２０，３０の各々は、プログラム受信手段２、例えば、ケーブルＴＶネットワーク６０に接続する信号受信回路を有する。しかしながら、プログラム受信手段２は、衛星ＴＶ受信機と、地上ＴＶアンテナからの信号又はデジタル信号を受信する入力回路とを具えてもよい。図示した例において、受信したプログラムをＴＶ番組としたが、本発明をラジオ番組にも同様に良好に適用することができる。複数のチャネルをケーブルＴＶネットワーク６０上で受信することができ、プログラムの選択をプログラム選択手段１２，２２又は３２によって実行することができる。本発明によれば、プログラム選択は、後に詳細に説明するように、関連のユーザプロファイル１５，５５ａ又は５５ｂ及び他の記録／再生装置のユーザ識別子を有するグループリスト１６，５６ａ又は５６ｂにアクセスするプログラム選択手段１２，２２，３２によって実行される。各記録／再生装置１０，２０及び３０は、他の記録／再生装置からプログラム選択情報１１，２１，３１又は５１のセットを受信する情報受信手段３も具え、この場合、プログラム選択情報を、グループリスト１６，５６ａ，５６ｂに含まれるユーザ識別子に相関させることができるようにする必要がある。情報受信手段３を、通信手段４０によって互いに接続するとともにサーバ５０及びコンピュータ端末７０に接続する。通信手段４０は、通信ネットワーク及びデータ伝送ネットワークによって形成される。インターネットは、通信手段として特に適切であり、この場合、例えば、ＴＣＰ／ＩＰ，ＨＴＴＰ，ＸＭＬ／Ｊａｂｂｅｒインスタントメッセージング等のような送信プロトコルを用いることができる。例えばＩＰマルチキャスティングによってオーディオ／ビデオプログラムを送信できるように通信手段４０を配置することもできる。この場合、プログラム受信手段２を省略することができる。
【００１９】
受信したプログラム選択情報のセットから及びユーザプロファイルを参照することによって、プログラム選択手段１２，２２，２３は、選択すべきプログラムを決定し、この場合、採用される手順は、図示した記録／再生装置感で僅かに異なる。記録／再生装置１０は不揮発性メモリを有し、このメモリには、マリアのユーザ識別子１３及びユーザプロファイル１５だけでなく、例えば本例では記録／再生装置２０及び３０のユーザ識別子すなわちポール及びペーターのユーザ識別子を意味する、プログラム選択に関連した他の記録／再生装置のユーザ識別子を有するグループリスト１６も格納される。したがって、マリア、ポール及びペーターは、同一の仮想グループに属する。プログラム選択手段１２によって、プログラム選択情報２１及び３２のセットを、記録／再生装置２０，３０から要求することができる。受信した情報はマリアのユーザプロファイル１５に従って分析され、その結果、プログラム選択情報１１のそれ自体のセットに格納されるプログラムの選択となり、そのセットは、タイマリストとして構成され、チャネルの詳細、日付、記録／再生開始時間及び記録／再生継続時間を有する。したがって、記録／再生装置１０は、peer-to-peerネットワークが最適であり、この場合、ネットワークに接続された記録／再生装置は、任意の中央管理を要求することなく必要な情報を互いに交換する。
【００２０】
しかしながら、これは、記録／再生装置２０及び３０の場合には当てはまらない。ユーザ識別子２３及び３３並びにプログラム選択情報２１及び３１のセットを記憶するためにこれらの装置が不揮発性メモリにも適合されるとしても、これら装置は、ユーザプロファイル５５ａ及び５５ｂ、グループリスト５６ａ及び５６ｂ並びにプログラム選択情報５１のセットを、通信手段４０を通じてこれら装置に接続したサーバ５０から直接取得する。したがって、記録／再生装置２０及び３０それ自体は、他の装置にアクセスせずにサーバ５０のみにアクセスする。サーバ５０は、上記情報を個々の記録／再生装置から取り出し、適切な場合には、例えばプログラムメタデータ（プログラム記述）のような他の情報をプログラム選択情報５１のセットに追加することによって他の処理を実行して、ユーザがプログラムを見つけるのを更に容易にする。プログラム選択情報５１のセットは、記録／再生装置１０，２０，３０から読み出されたプログラム選択情報１１，２１，３１のセットのコピーを有してもよいが、サーバ５０が、読み出されたプログラム選択情報１０，２０，３０のセットを予処理することもできる。記録／再生装置２０，３０のクライアント／サーバ動作についての利点は、ユーザ識別子がグループリストに含まれる所望の記録／再生装置に通信手段４０を通じて到達できるか否かを装置が常にチェックする必要がないことであり、装置は、必要な情報をサーバから簡単に取得することができ、それは、仮想的には常に利用できる。
【００２１】
以下、ユーザ識別子（ＩＤ）１３，２３，３３、グループリスト１６，５６ａ，５６ｂ及びユーザプロファイル１５，５５ａ，５５ｂの構成方法の例を説明し、この場合、実現可能な多数の変形が存在する。通信プロトコルとして使用するのが現存のアプリケーションの”Jabber”メッセージングプロトコルであると仮定すると、ユーザ名、ユーザアドレス及びパスワードをユーザ識別子、すなわち、ユーザ識別子１３における例えば”Maria;maria@jabber.philips.com;qwerrt2345”、ユーザ識別子２３における例えば”Paul;paul@jabber.Philips.com;quio789”及びユーザ識別子３３における例えば”Peter;peter@jabber.Philips.com;yxcv92”に保持するのが有用である。
【００２２】
グループリスト１６，５６ａ，５６ｂは、グループの他の又は全てのメンバーのユーザ名、すなわち、マリア、ポール及びペーター有することができる。また、アクセス権を規定すべきであり、これは、グループのメンバー間で非常に異なるようにすることができ、例えば、マリア（すなわち、マリアに関連した記録／再生装置１０）は、ユーザ「ポール」及び「ペーター」のプログラム選択情報２１，３１のセットを読み出すことができるが、ペーターは、ポールのプログラム選択情報２１しか読み出すことができない、等々。
【００２３】
プログラム選択が行われる基準及び特性を説明する規則が、ユーザプロファイル１５，５５ａ，５５ｂに規定される。例えば、以下のルールを、マリアのユーザプロファイルに規定することができる。
ａ）自身で選択したプログラムは、記録／再生に対して最高のプライオリティを有する。
ｂ）ポールとペーターの両方によって選択されたプログラムは記録される。
【００２４】
ペーターのユーザプロファイルを以下のようにすることができる。
ａ）プログラムが現時点で予めプログラムされた場合、ポールのプログラム選択が採用される。
【００２５】
ユーザ「ペーター」の記録／再生装置３０がＴＶセットであるので、将来のプログラムのリストを保持する意味がない。所定のプログラムを選択するのではなく、グループの他のメンバーによって所定の時間に選択された全てのプログラムを、オンスクリーンメニューに表示し、最終的な選択をペーターに任せることができ、この場合、ペーターは、遠隔制御でメニューのエントリを選択することによって選択を行う。
【００２６】
ユーザ識別子、ユーザプロファイル及びグループリストを規定できるようにするために、適切な入力手段を記録／再生装置１０，２０，３０に設けることができる。しかしながら、上記情報を、通信手段４０を通じてサーバ５０及び記録／再生装置１０，２０，３０に接続したコンピュータ端末７０によって特に都合よく規定することができる。ユーザ識別子、ユーザプロファイル及びグループリストを構成するメニュープロンプト手順は、このための明らかな候補であり、ユーザ識別子の割当ては、必要ならば課金できるサーバ５０上の登録にリンクされ、この場合、使用すべき通信プロトコルを選択することもできる。連続的な登録に従って、ユーザは、グループリストをオプションのリストからコンパイルすることができるとともに、グループのどのメンバーが記録／再生装置の上記情報にアクセスを有するかを説明する権利の割当てを行うことができる。個人のユーザプロファイルの設定を、コンピュータ端末７０を通じて実行することができ、この場合、予め規定され又は自身で規定された規則に従って選択を行うことができる。サーバ５０を、課金サービスとして作動させることができる。
【図面の簡単な説明】
【００２７】
【図１】互いに接続され及びサーバに接続された複数の記録／再生装置を有する記録／再生システムを示す。
【図１】
2006508568.tif 000003
【国際調査報告】
2006508568.tif 000004
2006508568.tif 000005